(57)【要約】【課題】多室型空調機の室内機においては、暖房運転時圧縮機がＯＮであってもサーモＯＮ室内機とサーモＯＦＦまたは停止室内機が混在し、サーモＯＦＦまたは停止室内機の熱交換器への液冷媒溜まり込みを防ぐために、膨張弁を若干開けている。しかしながら膨張弁を微開とするために、室内熱交換器にホットガスが流れるため、室内ファンが停止しているにも拘らず部屋の空気と熱交換することによって、部屋を必要以上に暖めてしまい、一方暖房運転している部屋は暖房能力が不足するという不具合を有していた。【解決手段】室内機の熱交換器出口に電磁弁を設け、また液管とガス管をバイパスする回路を設けることにより、圧縮機ＯＮでかつサーモＯＦＦまたは停止室内機の熱交換器に、ホットガスが流れるのを防ぐと同時に、さらに冷媒の溜まり込みを防ぐことで、最適な暖房能力を発揮することができる。【選択図】図５
2008057931.tif 000002
【特許請求の範囲】
【請求項１】
１台の室外機と前記室外機に接続された複数台の室内機を有し、前記室内機の冷媒回路中に膨張弁及び前記膨張弁駆動装置を備え、さらに前記室内機の熱交換器をバイパスし液冷媒配管とガス冷媒配管を直接接続する電磁２方弁を具備した多室形空気調和機において、複数台の前記室内機のうちの少なくとも１台がサーモＯＮ状態で暖房運転中に、サーモＯＦＦ状態または停止状態の室内機の膨張弁開度が所定時間全閉状態になると同時に、電磁２方弁が開状態となり、しかも所定時間後に前記各室内機の膨張弁開度が微開状態となることを特徴とする多室形空気調和機の運転制御方法。
【請求項２】
複数台の前記室内機のうちの少なくとも１台がサーモＯＮ状態で暖房運転中に、サーモＯＦＦ状態または停止状態の室内機の膨張弁開度が所定時間全閉状態になると同時に、電磁２方弁が開状態になり、しかも所定時間後に前記室内機吸込み温度及び熱交温度を検出し前記熱交温度と前記吸込み温度との温度差が設定値を下回ると膨張弁開度が微開状態となることを特徴とする請求項第１に記載の多室形空気調和機の運転制御方法。
【請求項３】
複数台の前記室内機のうちの少なくとも１台がサーモＯＮ状態で暖房運転中に、サーモＯＦＦ状態または停止状態の室内機の膨張弁開度が所定時間全閉状態になると同時に、電磁２方弁が開状態となり、しかも所定時間後に前記室内機冷媒回路に設けた膨張弁入口温度を検出し、前記熱交温度と前記膨張弁入口温度との温度差が設定値を下回ると膨張弁開度が微開状態となることを特徴とする請求項第１又は２に記載の多室形空気調和機の運転制御方法。
【請求項４】
複数台の前記室内機のうちの少なくとも１台がサーモＯＮ状態で暖房運転中に、残り複数台のサーモＯＦＦまたは停止状態の室内機の膨張弁開度が所定時間全閉状態になる同時に、電磁２方弁が開状態になり、しかも所定時間後に室外機圧縮機吐出温度を検出し、前記吐出温度が設定値を上回るとサーモＯＦＦまたは停止時間の一番長い室内機の膨張弁開度が微開状態となることを特徴とする請求項第１〜３のうちいずれか一項に記載の多室形空気調和機の運転制御方法。
【請求項５】
複数台の前記室内機のうちの少なくとも１台がサーモＯＮ状態で暖房運転中に、サーモＯＦＦ状態または停止状態の室内機の膨張弁開度が所定時間全閉状態になると同時に、電磁２方弁が開状態になり、しかも所定時間後に前記サーモＯＦＦまたは停止状態の室内機台数を検出し、前記室内機台数が設定台数を検出するとサーモＯＦＦまたは停止時間の一番長い室内機の膨張弁開度が微開状態となることを特徴とする請求項第１〜４のうちいずれか一項に記載の多室形空気調和機の運転制御方法。
【発明の詳細な説明】
【技術分野】
【０００１】
本発明は、多室形空気調和機の運転制御方法に関するものである。
【背景技術】
【０００２】
従来この種の多室形空気調和機の運転制御方法を図１２、図１３及び図１４に基づいて説明する（例えば特許文献１参照）。
【０００３】
図１２は従来の多室形空気調和機の冷凍サイクル図で、室外機１と室内機２ａ〜４ａとは冷媒配管１ａと１ｂにより接続されている。室内機２ａがサーモＯＮ状態で暖房運転中に、室内機３ａ〜４ａとが運転停止またはサーモＯＦＦ状態であるとき、室内機３ａ〜４ａの各々の膨張弁３ｂ〜４ｂは全閉となるが、冷媒は膨張弁と並列に設けたキャピラリーチューブ３ｄ〜４ｄを通過することにより、熱交換器３ｃ〜４ｃ内に液冷媒として溜まり込むことを防止している。ここでキャピラリーチューブ３ｄ〜４ｄが無い場合と比べると、液冷媒として溜まり込みを防止するために、膨張弁を開く必要があるが、このとき膨張弁を流れる冷媒流通音が大きく、これをキャピラリーチューブ３ｄ〜４ｄを設けることで防止している。
【特許文献１】特開平７−３１０９６２号公報
【発明の開示】
【発明が解決しようとする課題】
【０００４】
しかしながら、上記従来の構成では、冷媒が運転停止またはサーモＯＦＦ室内機の熱交換器を流れることには変わりなく、例え室内ファンが停止していても、室内の空気と熱交換し必要以上に部屋を暖めてしまい、また暖房が必要な部屋は暖房能力が不足してユーザーに不快感を与えてしまうという欠点があった。
【０００５】
本発明は前記従来の課題を解決するもので、運転停止またはサーモＯＦＦ室内機の膨張弁を微開とすると同時に電磁２方弁を開けることで、冷媒が前記室内機の熱交換器を通過することがないため、前記室内機を有する部屋を暖房することがなく、また暖房が必要な部屋を能力不足状態になることなく暖房運転可能となる多湿形空気調和機の運転制御方法を提供することを目的とする。
【課題を解決するための手段】
【０００６】
前記従来の課題を解決するために、本発明の多湿形空気調和機の運転制御方法は、膨張弁開度検出手段、より構成され、暖房運転時において少なくとも１台がサーモＯＮ状態で運転中に、残りの複数台のサーモＯＦＦまたは停止中の室内機の膨張弁開度が所定時間全閉状態になると同時に、電磁２方弁が開状態となり、しかも所定時間後に膨張弁が微開となるが、前記電磁２方弁は開状態を継続するものである。これによって、冷媒の溜まり込みを防ぐと同時に、適正な暖房運転をすることができる。
【０００７】
また本発明の多湿形空気調和機の送風機制御方法は、膨張弁開度検出手段、室内熱交温度検出手段及び室内吸込み温度検出手段より構成され、暖房運転時において少なくとも１台がサーモＯＮ状態で運転中に、残りの複数台のサーモＯＦＦまたは停止中の室内機の膨張弁開度が所定時間全閉状態になると同時に電磁２方弁が開状態となり、しかも前記室内機の熱交温度と吸込み温度を検出して前記熱交温度と前記吸込み温度との温度差が設定値を下回ると膨張弁開度を微開状態とするものである。これによって、冷媒の溜まり込みを防ぐと同時に、適正な暖房運転をすることができる。
【０００８】
また本発明の多湿形空気調和機の送風機制御方法は、膨張弁開度検出手段、室内熱交温度検出手段及び前記膨張弁入口温度検出手段より構成され、暖房運転時において少なくとも１台がサーモＯＮ状態で運転中に、残りの複数台のサーモＯＦＦ状態または停止中の室内機の膨張弁開度が所定時間全閉状態になると同時に電磁２方弁が開状態となり、しかも前記室内機の熱交温度と前記膨張弁入口温度を検出して前記熱交温度と前記膨張弁入口温度との温度差が設定値を下回ると、室内機の膨張弁開度が微開状態とするものである。これによって、冷媒の溜まり込みを防ぐと同時に、適正な暖房運転をすることができる。
【０００９】
また本発明の多湿形空気調和機の送風機制御方法は、膨張弁開度検出手段、室外圧縮機吐出温度検出手段より構成され、暖房運転時において少なくとも１台がサーモＯＮ状態で運転中に、残りの複数台のサーモＯＦＦまたは停止中の室内機の膨張弁開度が所定時間全閉状態になると同時に電磁２方弁が開状態になり、しかも前記室外圧縮機吐出温度を検出して前記吐出温度が設定値を上回ると、室内機の膨張弁開度を微開状態とするものである。これによって、冷媒の溜まり込みを防ぐと同時に、適正な暖房運転をすることができる。
【００１０】
また本発明の多湿形空気調和機の送風機制御方法は、膨張弁開度検出手段、サーモＯＦＦ室内機台数検出手段より構成され、暖房運転時において少なくとも１台がサーモＯＮ状態で運転中に、残りの複数台のサーモＯＦＦまたは停止中の室内機の膨張弁開度が所定時間全閉状態になると同時に電磁２方弁が開状態になり、サーモＯＦＦ状態または停止中の室内機台数を検出し、しかも前記室内機台数が設定値を上回ると、室内機の膨張弁開度を微開状態とするものである。これによって、冷媒の溜まり込みを防ぐと同時に、適正な暖房運転をすることができる。
【発明の効果】
【００１１】
本発明の多湿形空気調和機の運転制御方法は、サーモＯＦＦ室内機からの不要な暖房を無くし、しかも冷媒の溜まり込みを防ぎ冷媒不足になることなく高暖房能力を発揮することができる。
【発明を実施するための最良の形態】
【００１２】
第１の発明は、１台の室外機と前記室外機に接続された複数台の室内機を有し、前記室内機には冷媒回路中に設けた膨張弁及び前記膨張弁駆動装置、並びに前記室内機の熱交換器をバイパスし、液冷媒配管とガス冷媒配管を直接接続する電磁２方弁を備えた多室形空気調和機において、複数台の前記室内機のうちの少なくとも１台がサーモＯＮ状態で暖房運転中に、残りの複数台のサーモＯＦＦまたは停止状態の室内機の膨張弁開度が所定時間全閉状態になると同時に電磁２方弁が開状態となり、しかも所定時間後に前記室内機の膨張弁開度が微開状態となることから、冷媒の溜まり込みを防ぐと同時に、暖房運転を適正化することが可能となる。
【００１３】
第２の発明は、特に第１の発明の運転制御方法を、暖房運転時において、複数台の前記室内機のうちの少なくとも１台がサーモＯＮ状態で暖房運転中に、残りの複数台のサーモＯＦＦまたは停止状態の室内機の膨張弁開度が所定時間全閉状態になると同時に電磁２方弁が開状態となり、しかも前記各室内機の熱交温度と室内吸込み温度を検出し、前記各熱交温度と室内吸込み温度を比較し、その温度差が最も低い室内機の膨張弁開度が微開状態となることから、冷媒の溜まり込みを防ぐと同時に、暖房運転を適正化することが可能となる。
【００１４】
第３の発明は、特に第１の発明または第２の発明の運転制御方法を、暖房運転時において、複数台の前記室内機のうちの少なくとも１台がサーモＯＮ状態で暖房運転中に、残りの複数台のサーモＯＦＦまたは停止状態の室内機の膨張弁開度が所定時間全閉状態になる
と同時に電磁２方弁が開状態となり、しかも前記各室内機の熱交温度と熱交入口温度を検出し、前記各熱交温度と熱交入口温度を比較し、その温度差が最も低い室内機の膨張弁開度が微開状態となることから、冷媒の溜まり込みを防ぐと同時に、暖房運転を適正化することが可能となる。
【００１５】
第４の発明は、特に第１〜第３のいずれか１つの発明の運転制御方法を、暖房運転時において、複数台の前記室内機のうちの少なくとも１台がサーモＯＮ状態で暖房運転中に、残りの複数台のサーモＯＦＦまたは停止状態の室内機の膨張弁開度が所定時間全閉状態になると同時に電磁２方弁が開状態となり、しかも室外圧縮機温度を検出し、前記圧縮機吐出温度が設定値を上回ると、サーモＯＦＦまたは停止時間の一番長い室内機の膨張弁開度が微開状態となることから、冷媒の溜まり込みを防ぐと同時に暖房運転を適正化することが可能となる。
【００１６】
第５の発明は、特に第１〜第４のいずれか１つの発明の運転制御方法を、暖房運転時において、複数台の前記室内機のうちの少なくとも１台がサーモＯＮ状態で暖房運転中に、残りの複数台のサーモＯＦＦまたは停止状態の室内機の膨張弁開度が所定時間全閉状態になると同時に電磁２方弁が開状態となり、しかもサーモＯＦＦまたは停止状態の室内機台数を検出し、前記室内機台数が設定台数を上回ると、サーモＯＦＦまたは停止時間の一番長い室内機の膨張弁開度が微開状態となることから、冷媒の溜まり込みを防ぐと同時に暖房運転を適正化することが可能となる。
【００１７】
（実施の形態１）
図１は発明の第１の実施の形態における多室形空調機の運転制御方法を示す冷凍サイクル図である。同図において、室内機１１、２１、３１、４１は接続配管２及び３により室外機１と接続されている。また前記室内機は其々膨張弁１２、２２、３２、４２、及び熱交換器１３、２３、３３、４３、熱交温度センサー１４、２４、３４、４４、吸込みセンサー１５、２５、３５、４５、並びに電磁２方弁１６、２６、３６、４６で構成されている。暖房運転時は、冷媒は同図において矢印のように流れ、またサーモＯＮ室内機の膨張弁は全開でしかも電磁２方弁は全閉となっている。
【００１８】
図２のフローチャート及び図３のタイムチャートにより、室内機の膨張弁制御の動作を説明する。
【００１９】
暖房運転開始後複数の接続室内機のうち、少なくとも１台がサーモＯＮ状態で暖房運転中に、室内機がサーモＯＦＦすると、圧縮機の運転周波数は室内機の能力分に相当する周波数だけ低下させると同時にタイマーをスタートさせ、前記サーモＯＦＦ室内機の膨張弁を全閉とすると共に電磁２方弁を全開とする。膨張弁は全閉となるので、冷媒流通音はなくなり、しかも電磁２方弁を全開とすることで、ガス冷媒は前記サーモＯＦＦ室内機の熱交換を通過することなく液冷媒配管に流れるため、前期サーモＯＦＦ室内機の熱交換器から熱放射による不要な放熱（暖房）は完全に無くなり、その分他のサーモＯＮ室内機の暖房能力が向上するため快適性が向上する。その後タイマーが満了すると、前記室内機の膨張弁を微開とし冷媒を流通させる。
【００２０】
これはある程度時間が経過すると前記サーモＯＦＦ室内機の熱交換器に溜まる冷媒量が多いと判断し、膨張弁開度を若干開けることで冷媒を流して室外機の方へ冷媒を回収することができる。このため冷媒不足になることなくサーモＯＮ室内機は高暖房能力を発揮することができる。
【００２１】
（実施の形態２）
図４のフローチャート及び図５のタイムチャートにより、室内機の膨張弁制御の動作を
説明する。
【００２２】
暖房運転開始後複数の接続室内機のうち、少なくとも１台がサーモＯＮ状態で暖房中に、室内機がサーモＯＦＦすると、圧縮機の運転周波数は室内機の能力分に相当する周波数だけ低下させると同時にタイマーをスタートさせ、前記サーモＯＦＦ室内機の膨張弁を全閉とすると共に電磁２方弁を全開とする。膨張弁は全閉となるので、冷媒流通音はなくなり、しかも電磁２方弁を全開とすることで、ガス冷媒は前記サーモＯＦＦ室内機の熱交換を通過することなく液冷媒配管に流れるため、前期サーモＯＦＦ室内機の熱交換器から熱放射による不要な放熱（暖房）は完全に無くなり、その分他のサーモＯＮ室内機の暖房能力が向上するため快適性が向上する。その後タイマーが満了すると、前記室内機の吸込み温度と熱交温度から温度差ΔＴｓ１を算出し、設定値ΔＴｓ０を下回ると膨張弁を微開とする。
【００２３】
これは熱交温度が低下し吸込み温度に近づくと、前記サーモＯＦＦ室内機の熱交換器内部に溜まる液冷媒量が多いと判断し、膨張弁開度を若干開けることで冷媒を流して室外機の方へ冷媒を回収することができる。このため冷媒不足になることなくサーモＯＮ室内機は高暖房能力を発揮することができる。
【００２４】
（実施の形態３）
図６のフローチャート及び図７のタイムチャートにより、室内機の膨張弁制御の動作を説明する。
【００２５】
暖房運転開始後複数の接続室内機のうち、少なくとも１台がサーモＯＮ状態で暖房中に、室内機がサーモＯＦＦすると、圧縮機の運転周波数は室内機の能力分に相当する周波数だけ低下させると同時にタイマーをスタートさせ、前記サーモＯＦＦ室内機の膨張弁を全閉とすると共に電磁２方弁を全開とする。膨張弁は全閉となるので、冷媒流通音はなくなり、しかも電磁２方弁を全開とすることで、ガス冷媒は前記サーモＯＦＦ室内機の熱交換を通過することなく液冷媒配管に流れるため、前期サーモＯＦＦ室内機の熱交換器から熱放射による不要な放熱（暖房）は完全に無くなり、その分他のサーモＯＮ室内機の暖房能力が向上するため快適性が向上する。その後タイマーが満了すると、前記室内機の熱交入口温度と熱交温度から温度差ΔＴｃ１を算出し、設定値ΔＴｃ０を下回ると膨張弁を微開とする。
【００２６】
これは熱交温度が低下し熱交入口温度と近づくと前記サーモＯＦＦ室内機の熱交換器内部に溜まる液冷媒量が多いと判断し、膨張弁開度を。若干開けることで冷媒を流して室外機の方へ冷媒を回収することができる。このため冷媒不足になることなくサーモＯＮ室内機は高暖房能力を発揮することができる。
【００２７】
（実施の形態４）
図８のフローチャート及び図９のタイムチャートにより、室内機膨張弁制御の動作を説明する。
【００２８】
暖房運転開始後複数の接続室内機のうち、少なくとも１台がサーモＯＮ状態で暖房中に、室内機がサーモＯＦＦすると、圧縮機の運転周波数は室内機の能力分に相当する周波数だけ低下させると同時にタイマーをスタートさせ、前記サーモＯＦＦ室内機の膨張弁を全閉とすると共に電磁２方弁を全開とする。膨張弁は全閉となるので、冷媒流通音はなくなり、しかも電磁２方弁を全開とすることで、ガス冷媒は前記サーモＯＦＦ室内機の熱交換を通過することなく液冷媒配管に流れるため、前期サーモＯＦＦ室内機の熱交換器から熱放射による不要な放熱（暖房）は完全に無くなり、その分他のサーモＯＮ室内機の暖房能力が向上するため快適性が向上する。その後タイマーが満了すると、圧縮機吐出温度Ｔｄ
１を検出し吐出温度が設定値Ｔｄ０を超えると膨張弁を微開とする。
【００２９】
これは吐出温度が上昇すると室外機へ回収される冷媒が不足していると判断し、膨張弁開度を若干開けることで冷媒を流して室外機の方へ冷媒を回収することができる。このため冷媒不足になることなくサーモＯＮ室内機は高暖房能力を発揮することができる。
【００３０】
（実施の形態５）
図１０のフローチャート及び図１１のタイムチャートにより、室内機膨張弁制御の動作を説明する。
【００３１】
暖房運転開始後複数の接続室内機のうち、少なくとも１台がサーモＯＮ状態で暖房中に、室内機１がサーモＯＦＦすると、圧縮機の運転周波数は室内機の能力分に相当する周波数だけ低下させると同時にタイマーをスタートさせ、前記サーモＯＦＦ室内機の膨張弁を全閉とすると共に電磁２方弁を全開とする。膨張弁は全閉となるので、冷媒流通音はなくなり、しかも電磁２方弁を全開とすることで、ガス冷媒は前記サーモＯＦＦ室内機の熱交換を通過することなく液冷媒配管に流れるため、前期サーモＯＦＦ室内機の熱交換器から熱放射による不要な放熱（暖房）は完全に無くなり、その分他のサーモＯＮ室内機の暖房能力が向上するため快適性が向上する。その後タイマーが満了するとサーモＯＦＦ室内機の台数をカウントし、設定台数（２台）を超えると、前記室内機１のサーモＯＦＦ時間ｔ１と室内機２のサーモＯＦＦ時間ｔ２を算出し、ｔ１とｔ２を比較し、ｔ１≧ｔ２のとき、室内機１の膨張弁を微開とする。
【００３２】
これはサーモＯＦＦ室内機の台数が少ない場合は問題ないがサーモＯＦＦ室内機の台数が増えると、サーモＯＦＦ時間の最も長い室内機１の熱交換器に溜まる冷媒量が多いと判断し、膨張弁開度を若干開けることで冷媒を流して室外機の方へ冷媒を回収することができる。このため冷媒不足になることなくサーモＯＮ室内機は高暖房能力を発揮することができる。
【産業上の利用可能性】
【００３３】
以上のように、本発明にかかる多室形空気調和機の運転制御方法は、サーモＯＦＦ室内機の不要な暖房を無くし、しかも冷媒の溜まり込みを防ぎ冷媒不足になることなく高暖房能力を発揮することができるので、業務用、店舗用多室形空気調和機の冷媒流量制御等の用途にも適用できる。
【図面の簡単な説明】
【００３４】
【図１】本発明の第１の実施形態を示す運転制御方法の冷凍サイクル図
【図２】本発明の第１の実施形態を示す運転制御方法のフローチャート
【図３】本発明の第１の実施形態を示す運転制御方法のタイムチャート
【図４】本発明の第２の実施形態を示す運転制御方法のフローチャート
【図５】本発明の第２の実施形態を示す運転制御方法のタイムチャート
【図６】本発明の第３の実施形態を示す運転制御方法のフローチャート
【図７】本発明の第３の実施形態を示す運転制御方法のタイムチャート
【図８】本発明の第４の実施形態を示す運転制御方法のフローチャート
【図９】本発明の第４の実施形態を示す運転制御方法のタイムチャート
【図１０】本発明の第５の実施形態を示す運転制御方法のフローチャート
【図１１】本発明の第５の実施形態を示す運転制御方法のタイムチャート
【図１２】従来の運転制御方法の冷凍サイクル図
【図１３】従来の運転制御方法のフローチャート
【図１４】従来の運転制御方法のタイムチャート
【符号の説明】
【００３５】
１  室外機
２  接続管（液管）
３  接続管（ガス管）
１１，２１，３１，４１  室内機
１２，２２，３２，４２  膨張弁
１３，２３，３３，４３  熱交換器
１４，２４，３４，４４  熱交センサー
１５，２５，３５，４５  吸込みセンサー
１６，２６，３６，４６  電磁２方弁
【図１】
2008057931.tif 000003
【図２】
2008057931.tif 000004
【図３】
2008057931.tif 000005
【図４】
2008057931.tif 000006
【図５】
2008057931.tif 000007
【図６】
2008057931.tif 000008
【図７】
2008057931.tif 000009
【図８】
2008057931.tif 000010
【図９】
2008057931.tif 000011
【図１０】
2008057931.tif 000012
【図１１】
2008057931.tif 000013
【図１２】
2008057931.tif 000014
【図１３】
2008057931.tif 000015
【図１４】
2008057931.tif 000016